(57)【要約】【課題】使用者の手を煩わすことなく自動捜査により自動的にＩＢＯＣ放送局の検出ができるＩＢＯＣ放送受信機を提供する。【解決手段】チューナ３に設定した受信周波数の信号に基づく電界強度からアナログまたはデジタル放送の存否を検出し、チューナ３から出力される中間周波信号の電力に基づきアナログ放送されているか否かを判別し、アナログ放送されていないと判別しかつデジタル復調部５においてデジタル放送と認識したときフルデジタル放送のみとし、アナログ放送されていると判別しかつデジタル放送を認識したときハイブリッド放送とし、アナログ放送されていると判別しかつデジタル放送を認識しないときアナログ放送のみとして、受信周波数を内部メモリに放送モード毎に区分してプリセット記憶し、プリセット記憶周波数を参照して受信可能放送局を選択する。【選択図】        図１
2006033122.tif 000002
【特許請求の範囲】
【請求項１】
ＩＢＯＣ放送受信機において、電源投入時もしくは指定したときに、予め定めたグループ毎に受信可能放送局の放送周波数を内部メモリにプリセット記憶させ、該記憶周波数を参照して受信可能放送局の放送を選択することを特徴とするＩＢＯＣ放送受信機。
【請求項２】
請求項１記載のＩＢＯＣ放送受信機において、グループは受信バンド毎に、放送モード別のグループであることを特徴とするＩＢＯＣ放送受信機。
【発明の詳細な説明】
【技術分野】
【０００１】
本発明は放送局の捜査機能を備えたＩＢＯＣ放送受信機に関する。
【背景技術】
【０００２】
アナログサイドバンドの外側周波数帯域にデジタル情報を配置して同一放送周波数で放送するイン・バンド・オン・チャンネル（ＩＢＯＣ）放送局からの放送を受信するＩＢＯＣ放送が知られている（例えば、特許文献１参照）。
【特許文献１】特表２００２−５１０８９７号公報
【０００３】
ＩＢＯＣ放送では、アナログ放送とデジタル放送とが同一放送周波数で行われる。また、ＩＢＯＣデジタル放送の中でもアナログ放送のみと、アナログ放送とデジタル放送とがサイマル放送されるハイブリッド信号と、デジタル放送のみのフルデジタル放送が存在する。ＩＢＯＣ放送受信機の使用者が現在いるエリアでＩＢＯＣ放送がされているか否かを知るためには、使用者が自ら放送の捜査動作を行い、テキストデータによる放送局名が表示されるのを確認するか、デジタル捜査機能を使って初めてデジタル放送がされている放送局を探すことになる。
【０００４】
ＩＢＯＣ放送が行われる環境では、アナログ放送のみ、アナログとデジタルのハイブリッド放送、デジタル放送のみ（フルデジタル）と各放送局によって様々な放送モードが混在して放送される。
【発明の開示】
【発明が解決しようとする課題】
【０００５】
このために、ＩＢＯＣ放送を聞くためには使用者自身の手によってＩＢＯＣ放送がされている放送局を探し出す必要がある。また、使用者が受信モードを強制的にアナログ放送受信にしていた場合、フルデジタル放送の放送局の放送周波数ではノイズが聞かれるばかりで、デジタル放送がなされていることすら気づかないという問題点がある。また、車載用のＩＢＯＣ受信機では車両の移動に基づく受信機の位置が移動するたびに放送局の捜査作業を行う必要があるため、非常に面倒な作業を行わなければならないという問題点がある。
【０００６】
本発明は、ＩＢＯＣ放送受信機において、使用者の手を煩わすことなく、自動捜査により自動的にＩＢＯＣ放送局を検出することができるＩＢＯＣ放送受信機を提供することを目的とする。
【課題を解決するための手段】
【０００７】
本発明にかかるＩＢＯＣ放送受信機は、ＩＢＯＣ放送受信機において、電源投入時もしくは指定したときに、予め定めたグループ毎に受信可能放送局の放送周波数を内部メモリにプリセット記憶させ、該記憶周波数を参照して受信可能放送局の放送を選択することを特徴とする。
【０００８】
本発明にかかるＩＢＯＣ放送受信機において、グループは受信バンド毎に、放送モード別のグループであることを特徴とする。
【発明の効果】
【０００９】
本発明にかかるＩＢＯＣ放送受信機によれば、ＩＢＯＣ放送受信機において、電源投入時もしくは指定したときに、予め定めたグループ毎に受信可能放送局の放送周波数が内部メモリにプリセット記憶され、該記憶周波数が参照されて受信可能放送局の放送が選択されるため、ＩＢＯＣ放送を行っている受信放送局の選択が容易となる。
【００１０】
グループは、受信バンド毎に、アナログ放送のみ、ハイブリッド放送、およびデジタル放送のみの放送モード別のグループであってもよい。
【発明を実施するための最良の形態】
【００１１】
以下、本発明にかかるＩＢＯＣ放送受信機を実施の一形態によって説明する。
【００１２】
図１は本発明の実施の一形態にかかるＩＢＯＣ放送受信機の構成を示すブロック図である。
【００１３】
本発明の実施の一形態にかかるＩＢＯＣ放送受信機１０は、操作指示がなされる入力装置１と、入力装置１からの操作指示信号を入力するメインコントローラ２と、メインコントローラ２からの出力に基づき制御されるチューナ３と、メインコントローラ２からの出力に基づき制御され、かつチューナ３から出力される中間周波信号および後記のデジタルオーディオ信号が入力されてアナログオーディオ信号に復調するアナログ復調部４と、メインコントローラ２からの出力に基づき制御され、かつアナログ復調部４におけるベースバンドプロセッサにより処理されたデジタルベースバンド信号を入力してデジタル復調したデジタルオーディオ信号をアナログ復調部４へ出力するデジタル復調部（ＩＤＭ（ＩＢＯＣ  Digital  Module）５と、アナログ復調部４から出力される音声信号を入力して可聴音に変換する音声出力装置６と、メインコントローラ２の制御の下に入力装置１の操作指示に基づく操作内容等を表示する表示装置７を備えている。
【００１４】
ＩＢＯＣ放送受信機１０において、チューナ１において受信されたラジオ信号は中間周波信号に変換されてアナログ復調部（ベースバンドプロセッサ）４に入力され、アナログ放送信号が復調される。また、中間周波信号はアナログ復調部（ベースバンドプロセッサ）を介してデジタル復調部５にも入力される。デジタル復調部５は受信したＯＦＤＭ信号を復調し、復調されたデジタルオーディオ信号はアナログ復調部４に入力されて、デジタル音声信号とアナログ音声信号を任意に切り換えて音声出力装置６に出力する。
【００１５】
上記したＩＢＯＣ放送受信機１０において電源投入時、または使用者が入力装置１を介して捜査指示をしたときは、自動捜査動作を開始する。自動捜査動作が開始されると捜査をＡＭバンド側から行うか、ＦＭバンド側から行うか予め定めた方から行う。
【００１６】
ＦＭバンド側から捜査を行うと定められているとして、捜査する周波数範囲の最初の周波数をチューナ１に設定し（ステップＳ１）、Ｓメータレベルによる検出電界強度に基づいて、捜査対象周波数でアナログ放送またはデジタル放送の少なくとも何れかかが放送されているか否かを検出する（ステップＳ２）。ステップＳ２においてアナログ放送もデジタル放送の何れもが放送されていないと判別（ノイズレベルのみが検出）されたときは、捜査を行わずに、ＦＭバンドの１ステップだけ設定周波数をずらしてチューナ１に設定する。勿論ＦＭバンド側の周波数範囲を一周したときは、次にＡＭバンド側について実行する（ステップＳ６）。ＡＭバンドにおいて周波数範囲を一周したときは捜査を終了する。
【００１７】
ステップＳ２においてアナログ放送かデジタル放送かの何れかが放送されていると判別したときは、アナログ放送がされているか否かをチェックする（ステップＳ３）。ステップＳ３において、センター中間周波数における電力とセンター中間周波数から予め定めた周波数（例えば±３ｋＨｚ）オフセットさせたときの中間周波数における電力との差が予め定めた値未満か否かに基づいて、アナログ放送がされているか否かを判別する。
【００１８】
ステップＳ３において前記差が予め定めた値以上のときはアナログ放送がされていないと判別して、デジタル復調部５に対してＩＤＭのステータス情報を取り出すポーリング処理を行い、ステータス情報中に含まれるアクイジションステータスパラメータに基づき対象周波数でデジタル放送がなされているかを判断してＩＤＭがデジタル放送と認識したか否かをチェックする（ステップＳ４）。アクイジションステータスパラメータはＩＤＭがＯＦＤＭ信号を受信したときその旨を示す。
【００１９】
ステップＳ４においてデジタル放送と認識されないときはステップＳ１から再び実行する。ステップＳ４においてデジタル放送と認識されたときは、放送モードがフルデジタル放送であるグループＡ（フルデジタル）として該周波数をＩＢＯＣ放送受信機１０のメモリにプリセット記憶し（ステップＳ５）、次いでＦＭバンドの１ステップだけ設定周波数をずらしてチューナ１に設定する。勿論ＦＭバンドの周波数範囲を一周したときはＡＭバンドについて行う（ステップＳ６）。ステップＳ１〜ステップＳ６とＦＭバンド側の周波数範囲を一周したときはＩＢＯＣ放送受信機の内部メモリにフルデジタル放送の放送局である、図３のＦＭ―グループＡ（フルデジタル放送）の放送局の周波数リストが記憶される。この一例は、放送局ＦＭ−Ａ−１、放送局ＦＭ−Ａ−２、放送局ＦＭ−Ａ−３…の周波数がメモリにプリセット記憶された状態となる。
【００２０】
ステップＳ３において、アナログ放送がされていると判別されたときは、デジタル復調部５に対してＩＤＭのステータス情報を取り出すポーリング処理を行い、ステータス情報中に含まれるアクイジションステータスパラメータに基づいて対象周波数でデジタル放送がなされているかを判断する（ステップＳ１４）。ステップＳ１４においてデジタル放送と認識されたときは、グループＢ（ハイブリッド放送）として該周波数をＩＢＯＣ放送受信機１０のメモリにプリセット記憶し（ステップＳ１５）、次いでＦＭバンドの１ステップだけ設定周波数をずらしてチューナ１に設定する。勿論ＦＭバンドの周波数範囲を一周したときはＡＭバンド側について行う（ステップＳ６）。
【００２１】
ステップＳ１〜ステップＳ３、ステップＳ１４、ステップＳ１５、ステップＳ６とＦＭバンドの周波数範囲を一周したときはアナログ放送もデジタル放送も検出されているハイブリッド放送であると判別されて、ＩＢＯＣ放送受信機の内部メモリにハイブリッド放送の放送局である、図３のＦＭ―グループＢ（ハイブリッド放送）の放送局の周波数リストが記憶される。この一例は、放送局ＦＭ−Ｂ−１、放送局ＦＭ−Ｂ−２、放送局ＦＭ−Ｂ−３…の周波数がメモリにプリセット記憶された状態となる。
【００２２】
ステップＳ１４においてデジタル放送と認識されないきは、グループＣ（アナログ放送のみ）として該周波数をＩＢＯＣ放送受信機１０のメモリにプリセット記憶し（ステップＳ１６）、次いでＦＭバンドの１ステップだけ設定周波数をずらしてチューナ１に設定する。勿論ＦＭバンドの周波数範囲を一周したときはＡＭバンド側について行う（ステップＳ６）。ステップＳ１からステップＳ３、ステップＳ１４、ステップＳ１６、ステップＳ６とＦＭバンドの周波数範囲を一周したときはＩＢＯＣ放送受信機の内部メモリにアナログ放送の放送局である、図３のＦＭ―グループＣ（アナログ放送のみ）の放送局の周波数リストが記憶される。この一例は、放送局ＦＭ−Ｃ−１、放送局ＦＭ−Ｃ−２、放送局ＦＭ−Ｃ−３…の周波数がメモリにプリセット記憶された状態となる。
【００２３】
以上ＦＭバンドの場合を例示したが、ＡＭバンドの場合も同様であって、ＦＭバンド側についての説明から容易に理解されるように、図３の下段のようにＩＢＯＣ放送受信機の内部メモリにグループ毎に周波数が記憶される。
【００２４】
上記の受信周波数のプリセットにおいて、受信バンド毎にプリセット機能を持つＩＢＯＣ放送受信機では、上記のリスト順に各放送局の周波数情報を受信バンド毎に記憶することもできる。この機能を持つＩＢＯＣ放送受信機は、メニュー項目にグループ別捜査機能を持ち、使用者が選択したグループ内で順に内部メモリに記憶された放送局リストを参照して、希望する放送局を再び信号検出をすることなく受信することができる。
【００２５】
さらに言えば、上記のようにＩＢＯＣ放送受信機において、電源投入時、または使用者が要求した時点において、ＡＭ／ＦＭ両バンドで自動的にアナログ放送波、デジタル放送波の捜査を行い、放送局毎にアナログ放送のみ、ハイブリッド放送、フルデジタル放送のみとグループ分けを行って、全放送局の周波数をＩＢＯＣ放送受信機の内部メモリにプリセットとして記憶し、各バンド毎に、何局のアナログ放送、ハイブリッド放送、フルデジタル放送が行われているかを使用者に通知する。これにより、使用者は受信放送局の選択が容易となる。
【００２６】
分けられるグループは、アナログ放送のみ、ハイブリッド放送、フルデジタル放送の３種類のグループ限らず、Tomorrow  Radio放送（１周波数に複数のデジタルチャンネルを持つ）のグループや、各デジタル放送毎に〃Rock〃や〃News〃といった番組のジャンル情報が含まれる場合に、そのジャンル毎にグループを作るなど、使用者の要求に合わせた様々なグループとすることもできる。
【００２７】
また、各グループ分けは上記のグループに限る必要はなく、上記のグループを結合した捜査をすることもできる。例えば、ＦＭ−Ａグループの放送局、ＡＭ−Ａグループの放送局、ＦＭ−Ｂグループの放送局、ＡＭ−Ｂグループの放送局、…の如く異なるバンドを横断したグループ別に捜査し、プリセットしてもよい。また、（フルデジタル放送局のグループＡ＋ハイブリッドＢ放送局のグループ）、（ハイブリッド放送局のグループＢ＋アナログＣ放送局のグループ）等の如く放送モードが異なるグループ別に捜査し、プリセットしてもよい。このようにして使用者がハイブリッド放送、フルデジタル放送を問わずＩＢＯＣ放送を受信したいとき、（ハイブリッド放送局のグループＢ＋アナログ放送局のグループＣ）を選択することにより、ＩＢＯＣ放送局を順に受信することができる。
【００２８】
さらにまた、通常ＩＢＯＣ放送受信機には使用者がデジタル放送の音声とアナログ放送の音声を選択できるように、「受信モード」を〃強制アナログ〃、〃オート切り換え〃、〃強制デジタル〃と切り換えることができるが、この受信モードに連動してプリセットを切り換えることも可能である。例えば、受信モードが〃強制アナログ〃のときにはプリセットにアナログ＋ハイブリッドの放送局のグループを配置し、受信モードが〃強制デジタル〃に切り替わったら、プリセットにフルデジタル放送局のグループＡ＋ハイブリッドの放送局のグループＢを配置することも可能である。
【００２９】
また、放送モードについての放送周波数の捜査、記憶を通常に行うようにすることもできる。車載ＩＢＯＣ放送受信機で車両の走行により位置が変わったとき、受信可能な放送局が変化するため、使用者が指示したとき再捜査させることができる。
【００３０】
さらにまた、２チューナシステムのＩＢＯＣ放送受信機の場合、使用者が放送受信を行いながら、一定時間間隔で受信可能放送局の捜査を行うこともできて、車載ＩＢＯＣ放送受信機で走行により位置が移動しているときでも常に最新の受信可能周波数の放送局を選択することができる。また、ＩＢＯＣ放送受信不可能地域からＩＢＯＣ放送受信可能地域に移動したときに、受信可能周波数が存在することを使用者に通知することも可能である。
【図面の簡単な説明】
【００３１】
【図１】本発明の実施の一形態にかかるＩＢＯＣ放送受信機の構成を示すブロック図である。
【図２】本発明の実施の一形態にかかるＩＢＯＣ放送受信機における受信可能放送局の放送周波数の捜査の説明に供するフローチャートである。
【図３】本発明の実施の一形態にかかるＩＢＯＣ放送受信機における受信可能放送局の放送周波数の捜査結果に基づく内部メモリの記憶状態を模式的に示す説明図である。
【符号の説明】
【００３２】
１  入力装置
２  メインコントローラ
３  チューナ
４  アナログ復調部（ベースバンドプロセッサ）
５  デジタル復調部（ＩＤＭ）
６  音声出力装置
１０  ＩＢＯＣ放送受信機
【図１】
2006033122.tif 000003
【図２】
2006033122.tif 000004
【図３】
2006033122.tif 000005